(57)【要約】【課題】  折畳まれたシートを１枚ずつ収納箱から順次取り出すことができるシート収納箱を提供する。【解決手段】  内部に複数の折畳まれたシート積層体を収納すると共に、その上面に各シートを順次取出すシート取出用長穴開口部を長穴開口部の長辺とシート折畳方向とを平行に形成してなるシート収納箱において、前記長穴開口部からシートを取出す際にシートが長穴開口部と摺接する部分の形状を弧状に形成すると共に前記弧状部分の中央部に切欠部を設けてなるシート収納箱。【選択図】        図１
2005082192.tif 000002
【特許請求の範囲】
【請求項１】
内部に複数の折畳まれたシートの積層体を収納すると共に、その上面に各シートを順次取出すシート取出用長穴開口部を長穴開口部の長辺とシート折畳方向とを平行に形成してなるシート収納箱において、前記長穴開口部からシートを取出す際にシートが長穴開口部と摺接する部分の形状を弧状に形成すると共に前記弧状部分の中央部に切欠部を設けてなるシート収納箱。
【請求項２】
シートが不織布シートである請求項１に記載のシート収納箱。
【請求項３】
シート同士の滑り角度試験法における滑り角度が３０度以上である請求項２に記載のシート収納箱。
【請求項４】
シートが織布シートである請求項１に記載のシート収納箱。
【請求項５】
シートが紙シートである請求項１に記載のシート収納箱。
【請求項６】
長穴開口部形成用ミシン目が予め上面に形成されてなり、ミシン目を切断することにより長穴開口部を形成する請求項１乃至５の何れか１項に記載のシート収納箱。
【請求項７】
長穴開口部の長手方向最大長さが、シート折畳部の長手方向長さに対し６０〜８０％である請求項１乃至６の何れか１項に記載のシート収納箱。
【請求項８】
長穴開口部の幅方向における最大長さが、シート折畳部の幅方向長さに対し１５〜７０％である請求項１乃至７の何れか１項に記載のシート収納箱。
【請求項９】
長穴開口部の幅方向における最大長さが、シート折畳部の幅方向長さに対し３０〜７０％である請求項１乃至７の何れか１項に記載のシート収納箱。
【発明の詳細な説明】
【技術分野】
【０００１】
本発明は、折畳まれたシートの収納箱に関する。更に詳述すれば、折畳まれた不織布シート、織布シート、紙シート等のシートを１枚ずつ収納箱から順次取り出すことができる開口部を設けたシート収納箱に関する。
【背景技術】
【０００２】
シート積層体収納箱は、例えばティッシュペーパーの収納箱として広く利用されている。これらの収納箱では、ティッシュペーパーを１枚ずつ順次取出でせるものが種々提案されている（特許文献１、特許文献２、特許文献３、特許文献４、特許文献５）。
【０００３】
しかしながら、これら提案の収納箱は、シート同士の滑り角度試験法における滑り角度の低いもの（例えば、２０度未満）の収納に対しては有効であるが、シート同士の滑り角度試験法における滑り角度が大きいものの収納に対してはうまく機能しない。即ち、これら提案のような従来の収納箱では、シートを１枚だけ取出そうとしても２枚以上連なって取出されてしまい、使用上不具合が生じる。
【特許文献１】：実開昭５７−１１００８１号公報
【特許文献２】：実開平０４−０５４２９４号公報
【特許文献３】：実開平０４−０８０８７８号公報
【特許文献４】：特開平０９−３２３７７０号公報
【特許文献５】：実開昭４８−０８７２２７号公報
【発明の開示】
【発明が解決しようとする課題】
【０００４】
本発明は上記事情に鑑みなされたもので、その目的とするところは、折畳まれたシートを１枚ずつ確実に収納箱から順次取り出すことができるシート収納箱を提供することにある。
【課題を解決するための手段】
【０００５】
上記課題を解決する本発明は以下に記載するものである。
【０００６】
〔１〕  内部に複数の折畳まれたシートの積層体を収納すると共に、その上面に各シートを順次取出すシート取出用長穴開口部を長穴開口部の長辺とシート折畳方向とを平行に形成してなるシート収納箱において、前記長穴開口部からシートを取出す際にシートが長穴開口部と摺接する部分の形状を弧状に形成すると共に前記弧状部分の中央部に切欠部を設けてなるシート収納箱。
【０００７】
〔２〕  シートが不織布シートである〔１〕に記載のシート収納箱。
【０００８】
〔３〕  シート同士の滑り角度試験法における滑り角度が３０度以上である〔２〕に記載のシート収納箱。
【０００９】
〔４〕  シートが織布シートである〔１〕に記載のシート収納箱。
【００１０】
〔５〕  シートが紙シートである〔１〕に記載のシート収納箱。
【００１１】
〔６〕  長穴開口部形成用ミシン目が予め上面に形成されてなり、ミシン目を切断することにより長穴開口部を形成する〔１〕乃至〔５〕の何れか１に記載のシート収納箱。
【００１２】
〔７〕  長穴開口部の長手方向最大長さが、シート折畳部の長手方向長さに対し６０〜８０％である〔１〕乃至〔６〕の何れか１に記載のシート収納箱。
【００１３】
〔８〕  長穴開口部の幅方向における最大長さが、シート折畳部の幅方向長さに対し１５〜７０％である〔１〕乃至〔７〕の何れか１に記載のシート収納箱。
【００１４】
〔９〕  長穴開口部の幅方向における最大長さが、シート折畳部の幅方向長さに対し３０〜７０％である〔１〕乃至〔７〕の何れか１に記載のシート収納箱。
【発明の効果】
【００１５】
本発明のシート収納箱は、上述のように不織布取出用長穴開口部を構成しているので、収納箱中の不織布シートや織布シート、紙シートを１枚ずつ確実に取出せる。また、本発明のシート収納箱は従来、収納箱の取り出し口に設けられていた樹脂フィルム等を用いる必要が無く、製造コストを低減でき、使用する資源量を低減できる。また、使用後廃棄する際に分別処理を不要となるので、資源の再使用性に優れる。
【００１６】
本発明のシート収納箱は、清掃用シート等の不織布シート、調理用シート等の織布シート、ティッシュペ−パー等の紙シートの収納箱として有用である。特に、不織布シートや織布シートのように滑り角度が高い（例えば３０度以上）シートの収納箱として有用である。
【００１７】
本発明のシート収納箱は、一旦取出したシートを収納箱に戻すのが容易である。
【発明を実施するための最良の形態】
【００１８】
以下、本発明を詳細に説明する。
【００１９】
図１は、本発明のシート収納箱１の上面形状の一例を示す平面図である。図１で、１１は不織布シートの取出用長穴開口部（開口後は開口蓋となる）で略楕円形の長軸を収納箱１の長さ方向と一致させて形成されている。１３は収納されている不織布シートである。１５、１７はそれぞれ不織布シート１３を取出す際に不織布シート１３が長穴開口部と摺接する弧状部分である。前記弧状部分１５，１７には収納箱１の幅方向外方に向って切欠部２１、２３がそれぞれ形成されている。前記弧状部分１５、１７に切欠部２１、２３を形成することにより、弧状部分１５、１７に肩部３１、３３、３５、３７が形成される。この肩部３１、３３、３５及び３７はそれぞれ不織布シートを取出す際に不織布シート１３と長穴開口部１１との摺接抵抗を増す。
【００２０】
ＢＬは収納箱１の長手方向の長さ（２８５ｍｍ）、ＢＷは収納箱１の幅方向の長さ（１２６ｍｍ）、ＣＬは二つ折りにされた不織布シート１３の折畳部１９の長手方向の長さ（２７６ｍｍ）、ＣＷは二つ折りにされた不織布シート１３の幅方向の長さ（１２０ｍｍ）、ＭＬは開口部１１の長手方向の最大長さ（２１０ｍｍ）、ＭＷは開口部１１の幅方向の最大長さ（８５ｍｍ）、ＳＬ１は開口部１１の一方の切欠部２１の長手方向長さ（７０ｍｍ）、ＳＬ２は他方の切欠部２３の長手方向長さ（６５ｍｍ）、ＤＷ１は開口部１１の一方の切欠部２１の幅方向長さ（１５ｍｍ）、ＤＷ２は開口部１１の他方の切欠部２３の幅方向長さ（１５ｍｍ）である。
【００２１】
上記収納箱１の上面には予め開口部１１の形状に沿ってミシン目が施されている。但し、前記切欠部２３の外方向ヒンジ部２５にはミシン目が施されていない。使用するに当っては、ミシン目を切開いて、前記ヒンジ部２５で上方に折返すことにより、開口部１１を形成すると共に、切開いた部分を後述する開口蓋２７として利用できる。
【００２２】
図１における、ａ−ａ線に沿った断面図の一例（不織布シートを二つ折りに折畳んで収納した例）を図２及び図３に示す。図２において、４０ａは収納箱１から取出されつつある不織布シートである。４０ｂは４０ａの次に取出されるべき不織布シートである。不織布シート４０ａは、収納箱１の開口部１１の肩部３５、３７と摺接している。この肩部３５、３７は、不織布シートを取出す際に不織布シート４０ａと長穴開口部１１との摺接抵抗を増すために機能する。
【００２３】
図３において、４０ａは既に取出された不織布シートであり、４０ｂは不織布シート４０ａの次に取出されるべき不織布シートである。不織布シート４０ｂは、収納箱１の開口部１１の肩部３１、３３と摺接している。この肩部３１、３３が不織布シートを取出す際に不織布シート４０ｂと長穴開口部１１との摺接抵抗を増すために機能する。この機能により、不織布シート４０ｂは、不織布シート４０ａに引づられて取出されること無く、収納箱１内に留まることができる。
【００２４】
尚、図２、図３におけるＢＨは収納箱の高さ（６５ｍｍ）である。また、不織布シートは、不織布シート同士の滑り角度が４１．２度のものである。
【００２５】
尚、本発明の一例を上記の通り説明したがこれに限らず、本発明は下記するものであることができる。
【００２６】
本発明において、開口部１１の長手方向の最大長さＭＬは、不織布シート折畳部１９の長手方向の長さＣＬの６０〜８０％であることが好ましい。この割合が８０％を超えると収納箱１から不織布シート１３を１枚ずつ取出そうとした際に、不織布シートが２枚以上連なって取出されてしまうことがある。一方、この割合が６０％未満であると、収納箱１から不織布シート１３を１枚ずつ取出す際に、不織布シートが取出し難い。
【００２７】
本発明において、開口部１１の切欠部の長手方向長さＳＬ１及び.／又はＳＬ２は、不織布シート折畳部１９の長手方向の長さＣＬの１０〜６０％であることが好ましい。この割合が６０％を超えると、若しくは１０％未満であると、収納箱１から不織布シート１３を１枚ずつ取出そうとする際に、不織布シートが２枚以上連なって取出されてしまうことがある。
【００２８】
本発明において、開口部の幅方向の最大長さＭＷは、不織布シート折畳部の幅方向の長さＣＷの１５〜７０％であることが好ましい。この割合が７０％を超えると収納箱から不織布シートを１枚ずつ取出そうとした際に、不織布シートが２枚以上連なって取出されてしまうことがある。一方、この割合が１５％未満であると、収納箱から不織布シートを１枚ずつ取出そうとした際に、不織布シートが取出し難い。また、この割合が１５％未満であると、一旦取出した不織布シートを開口部から収納箱内に収納することが難しくなる。特に、開口部を切開いた部分を開口蓋として使用する場合、不織布シートを開口部から収納箱内に収納することが難しくなる。上記理由から、開口部の幅方向の最大長さＭＷは、不織布シート折畳部の幅方向の長さＣＷの３０〜７０％であることが特に好ましい。
【００２９】
本発明において、開口部の切欠部の幅方向の長さＤＷ１及び／又はＤＷ２は、不織布シート折畳部の幅方向の長さＣＷの５〜３０％であることが好ましい。この割合が３０％を超えると収納箱から不織布シートを１枚ずつ取出そうとした際に、不織布シートをスムースに取出せないことがある。一方、この割合が５％未満であると、収納箱から不織布シートを１枚ずつ取出そうとした際に、不織布シートが２枚以上連なって取出されてしまうことがある。
【００３０】
図１における、ａ−ａ線に沿った断面図の他の例（不織布シートを三つ折りに折畳んで収納した例）を図４及び図５に示す。図４において、５０ａは収納箱１から取出されつつある不織布シートである。５０ｂは不織布シート５０ａの次に取出されるべき不織布シートである。不織布シート５０ａは、収納箱１の開口部１１の肩部３１、３３で図示したように摺接している。この肩部３１、３３は、不織布シートを取出す際に不織布シートと長穴開口部１１との摺接抵抗を増すために機能する。
【００３１】
図５において、５０ａは既に取出された不織布シートであり、５０ｂは不織布シート５０ａの次に取出されるべき不織布シートを示す。不織布シート５０ｂは、収納箱１の開口部１１と肩部３１、３３で図示したように摺接している。この肩部３１、３３が不織布シートを取出す際に不織布シートと長穴開口部１１との摺接抵抗を増すために機能する。この機能により、不織布シート５０ｂは、不織布シート５０ａに引張られて取出されること無く、収納箱１内に留まることができる。
【００３２】
不織布シートが三つ折（Ｚ折りともいう）の場合は、不織布シートを取出す際の収納箱１の開口部１１と不織布シートとの摺接箇所は常時収納箱の片側のみになる。従って、収納される不織布シート積層体が三つ折の場合は、開口部の切欠が長辺方向の片方のみでも良い。図６、７に不織布シートが三つ折の場合の収納箱の開口部１１の形状の他の例を示す。
【００３３】
図８は、図１の収納箱１のミシン目６６を切開する前の平面図、図９はミシン目６６を切開して開口蓋２７をヒンジ部２５で上方に折返した平面図を示す。図１０は、図８中のｂ−ｂ線に沿った断面図を示す。尚、ヒンジ部２５には折返しを容易にするための粗いミシン目が施されていてもよい。
【００３４】
図８において、ミシン目６６を切開して開口蓋２７をヒンジ部２５で折返すことにより、収納箱１に開口部１１が形成される。開口蓋２７のヒンジ部２５と対向する側には、略半円状の摘み部６１が形成されている。前記摘み部６１には、外方に突出して小径半円状に切抜かれ、これにより掛止片６３が形成されている。半円状の掛止片６３の直径に沿う折曲部６４で摘み部６１を上方に折曲げることにより、前記掛止片６３が開口蓋２５の下方に突出される。図９において、８１は収納箱１の糊代部７９に半円状に打抜いて形成した掛止口である。前記掛止片６３を掛止口８１に係合させることにより、開口蓋２７を収納箱１に固定できる。図１０は、掛止片６３を掛止口８１に係合させた状態を示している。
【００３５】
本発明におけるシートは不織布シートであることが好ましい。不織布シートは、例えば、ポリオレフィン繊維やポリエステル繊維とレーヨン繊維とを構成成分として含むものであることが、シートを清掃用に用いた際に、清掃機能が良好となるため好ましい。
【００３６】
本発明において、収納箱の材質は、紙であることが好ましい。特に、厚みが０．２〜１．０ｍｍ（米坪が２００〜６００ｇ／ｍ2 ）の板紙であることが好ましい。収納箱の外側には、印刷が施されていることが好ましい。
【００３７】
本発明において、シートは、シート同士の滑り角度試験法における滑り角度（以下、単に『滑り角度』と略記する）が３０度以上のものであることが好ましい。本発明における不織布シートの滑り角度上限は試験法におけ５５度であることが好ましい。滑り角度が５５度を超えると、収納箱から不織布シートを１枚ずつ取出そうとした際に、不織布シートが２枚以上連なって取出されてしまうことがある。一方、不織布シートの滑り角度が３０度未満であると、不織布シートを清掃用に用いた際に、清掃機能が不足することがある。
【００３８】
尚、本発明におけるシートの滑り角度は、ＪＩＳ  Ｐ  ８１７４（１９９４）の紙及び板紙の摩擦係数測定方法に準じて、下記に示す方法で測定した。
【００３９】
（１）滑り角度試験機
試験機本体には、水準器を取付けた固定台に平行になるような蝶番で取付けられた傾斜板が装備されている。傾斜板には傾斜角を１度単位で指示できる目盛板がついている。傾斜板の上端には試験片を固定するつかみが取付けられ、下端にはストッパーが付いている。傾斜板の材質は平滑な金属製であり、寸法はおもりの幅より２５ｍｍ以上広く、おもりを１５ｍｍ以上動かせる長さを持っている。
【００４０】
おもりは、長方形の平らな底面を持つ金属製ブロックで、試験片を固定するつかみが付いている。おもりの底面の寸法は、幅６０ｍｍ、長さ１００ｍｍであり、質量は１０００ｇである。おもりの底面にかかる圧力は、１．６４ｋＰａ（１６．７ｇｆ／ｃｍ2 ）である。
【００４１】
（２）試験片
（ａ）試料調製
試料には、試験規格Ａ２９『試験用紙の採取規格』によって採取したものを用いる。全幅試料１枚を流れ方向が平行になるように、ほぼ等間隔に５つ折りにし、その中央部を米坪板で仕切り、試験試料にする。
【００４２】
（ｂ）試験片
試験片供試料から、すきむら・折り目・すき入れ・曲がり・くせ・しわ等異常な部分を避け、正しく縦方向に錘用試験片と平板用試験片とを次の寸法に裁断する。
【００４３】
錘用試験片は、６０ｍｍ×１９０ｍｍとし、縦方向に５枚裁断する。平板用試験片は、１００ｍｍ×２５０ｍｍとし、縦方向に５枚裁断する。
【００４４】
試験回数は１試料につき、縦５回とする。
【００４５】
操作は試験規格Ａ３０『試験用紙の前処理規格』の条件に従い前処理を行った後、標準条件に一致する試験室内で行う。
【００４６】
（３）滑り角度の測定
機器のセッティング
試験機本体の水準器を見ながら４本の調節脚で本体を水平にしてロックナットで固定する。傾斜板を０度の位置に設定する。錘用試験片と平板用試験片とそれぞれ傾斜板及び移動ブロックにセットする。電源を入れ傾斜板を所定の速度で上昇させる。セットした試料間の摩擦が限界になり、移動ブロックが滑り始めると同時に傾斜板の上昇が停止する。この時の傾斜板の角度を指針の指示値で読み取り滑り角度とする。５回の測定値の平均値を不織布シートの滑り角度とする。
【００４７】
上記例においては、不織布シートを用いて本発明を説明したが、これに限らず織布シート（例えば調理用シート）、紙シート（例えば、ティッシュペーパー）の積層体を収納することもできる。
【００４８】
このように、本発明におけるシートは、その表面に凹凸や毛羽立ち（起毛）のある不織布シート、織布シート、紙シート等であり、洗剤や水分を含むものであっても良い。シートが紙シートの場合の滑り角度は４５度以下、好ましくは２０度以上３０度未満であっても良い。滑り角度を４５度以下にすることにより、紙シートが連続的に取出されることを防止できる。特に２０度以上３０度未満とすることにより、紙シートが連続的に取出されることを確実に防止できる。
【図面の簡単な説明】
【００４９】
【図１】本発明のシート収納箱上面の一例を示す平面図である。
【図２】収納されるシートが二つ折の場合のシート取出状態の一例を説明する図である。
【図３】収納されるシートが二つ折の場合のシート取出状態の一例を説明する図である。
【図４】収納されるシートが三つ折の場合のシート取出状態の一例を説明する図である。
【図５】収納されるシートが三つ折の場合のシート取出状態の一例を説明する図である。
【図６】シートが三つ折の場合の収納箱の開口部形状の一例を示す図である。
【図７】シートが三つ折の場合の収納箱の開口部形状の一例を示す図である。
【図８】図１の収納箱１のミシン目６６を切開する前の形状の一例を示す平面図である。
【図９】図１の収納箱１のミシン目６６を切開して開口蓋２５をヒンジ部２４で上方に折返した形状の一例を示す平面図である。
【図１０】図８の収納箱１のｂ−ｂ線に沿った断面図である。
【符号の説明】
【００５０】
１    収納箱
１１    不織布シートの取出用長穴開口部
１３    不織布シート
１５、１７    弧状部分
１９    不織布シート折畳部
２１、２３    切欠部
２５    ヒンジ部
２７    開口蓋
３１、３３、３５及び３７    肩部
４０ａ    収納箱から取出されつつある不織布シート
４０ｂ    ４０ａの次に取出されるべき不織布シート
５０ａ    収納箱から取出されつつある不織布シート
５０ｂ    ５０ａの次に取出されるべき不織布シート
６１    摘み部
６３    掛止片
６４    折曲部
６６    ミシン目
７９    糊代部
８１    掛止口
ＢＬ    収納箱の長手方向の長さ
ＢＷ    収納箱の幅方向の長さ
ＢＨ    収納箱の高さ
ＣＬ    不織布シート折畳部の長手方向の長さ
ＣＷ    不織布シート折畳部の幅方向の長さ
ＭＬ    開口部の長手方向の最大長さ
ＭＷ    開口部の幅方向の最大長さ
ＳＬ１    切欠部の長手方向長さ
ＳＬ２    切欠部の長手方向長さ
ＤＷ１    切欠部の幅方向長さ
ＤＷ２    切欠部の幅方向長さ
【図１】
2005082192.tif 000003
【図２】
2005082192.tif 000004
【図３】
2005082192.tif 000005
【図４】
2005082192.tif 000006
【図５】
2005082192.tif 000007
【図６】
2005082192.tif 000008
【図７】
2005082192.tif 000009
【図８】
2005082192.tif 000010
【図９】
2005082192.tif 000011
【図１０】
2005082192.tif 000012